(57)【要約】【課題】独立した小型のデジタル撮像装置と、独立した中央処理装置とを有するハンズフリー携帯用デジタルビデオカメラ装置を提供すること。【解決手段】ハンズフリー携帯用デジタルビデオカメラ装置は、独立したデジタル撮像装置と、該デジタル撮像装置に無線で接続された、独立した中央処理装置とを有する。前記デジタル撮像装置は、写真を撮影し、撮影した写真の画像データを前記中央処理装置に送信する。前記ハンズフリー携帯用デジタルビデオカメラ装置が２つの独立した装置から成るため、各装置を使用者が写真又は映画を撮影するために直接身に着けられるように小型化することができる。これにより、使用者は手を使わずに前記ハンズフリー携帯用デジタルビデオカメラ装置を使用することができる。【選択図】図１
0003124835.tif 000002
【実用新案登録請求の範囲】
【請求項１】
操作機能及び変換機能を有する第１マイクロプロセッサーと、該第１マイクロプロセッサーに電子的に接続され、画像を取り込み、画像データを前記第１マイクロプロセッサーに出力する撮像素子と、前記第１マイクロプロセッサーに電子的に接続され、音声信号を受け取り、受け取った音声信号を前記第１マイクロプロセッサーに出力する音声受信機と、前記第１マイクロプロセッサーに電子的に接続され、前記画像データ及び前記音声信号を無線送信する第１無線通信モジュールと、前記第１マイクロプロセッサー、前記撮像素子、前記音声受信機及び前記第１無線通信モジュールに電力を供給する電源装置とを有する独立した小型のデジタル撮像装置と、
該デジタル撮像装置に無線接続された中央処理装置であって、操作機能及び変換機能を有する第２マイクロプロセッサーと、該第２マイクロプロセッサーに電子的に接続され、前記第１無線通信モジュールに無線接続され、前記第１無線通信モジュールから前記画像データ及び前記音声信号を受け取り、受け取った画像データ及び音声信号を前記第２マイクロプロセッサーに出力する前記第２無線通信モジュールと、前記第２マイクロプロセッサーに電子的に接続され、前記画像データ及び前記音声信号を記憶する記憶装置と、前記第２マイクロプロセッサーに電子的に接続され、前記画像データを表示するディスプレーと、前記第２マイクロプロセッサーに電子的に接続され、前記音声信号を再生するスピーカーと、前記第２マイクロプロセッサーに電子的に接続された入力装置と、前記第２マイクロプロセッサー、前記第２無線通信モジュール、前記記憶装置及び前記ディスプレーに電力を供給する電源装置とを有する独立した中央処理装置とを含む、ハンズフリー携帯用デジタルビデオカメラ装置。
【請求項２】
前記デジタル撮像装置は、前記第１マイクロプロセッサーと前記撮像素子との間に電子的に接続された駆動装置を有し、前記第１マイクロプロセッサーは前記駆動装置を介して前記撮像素子の操作を制御する、請求項１に記載のハンズフリー携帯用デジタルビデオカメラ装置。
【請求項３】
前記中央処理装置は、前記第２マイクロプロセッサーに電子的に接続されたコネクターを有する、請求項１又は２に記載のハンズフリー携帯用デジタルビデオカメラ装置。
【考案の詳細な説明】
【技術分野】
【０００１】
本考案は、独立した小型のデジタル撮像装置と、独立した中央処理装置とを有するハンズフリー携帯用デジタルビデオカメラ装置に関する。使用者は、前記デジタル撮像装置と前記中央処理装置とを身に着け、前記デジタル撮像装置を手を使わずに使用することができる。
【背景技術】
【０００２】
一般に、携帯用デジタルビデオカメラ装置は、使用者が写真を撮るのに使用することができるように携帯可能な製品として作られている。デジタルビデオカメラの技術が急速に発展して以来、前記携帯用デジタルビデオカメラ装置は、写真を撮影するために使用されるだけではなく、映画を製作するために音声信号を録音するためにも使用されている。前記携帯用デジタルビデオカメラ装置は比較的小さいが、使用者は現在でも前記携帯用デジタルビデオカメラ装置を手に持って使用しなければならない。
【０００３】
このため、前記携帯用デジタルビデオカメラ装置が長期間の撮影又は秘密の撮影のような特定の用途で用いられる場合、使用者が広範囲に動くことを好まないため、前記携帯用デジタルビデオカメラ装置の使用目的を達成することが難しい。
【考案の開示】
【考案が解決しようとする課題】
【０００４】
本考案は、独立した小型のデジタル撮像装置と、独立した中央処理装置とを有するハンズフリー携帯用デジタルビデオカメラ装置を提供する。使用者は、前記デジタル撮像装置を身に着けることができ、前記デジタル撮像装置を手で持つことなく使用することができる。
【０００５】
本考案の目的は、独立した小型のデジタル撮像装置と、独立した中央処理装置とを有するハンズフリー携帯用デジタルビデオカメラ装置を提供することである。使用者は、写真や映画を撮影するために前記デジタル撮像装置を身体に着けて手を使わずに持ち運ぶことができる。
【課題を解決するための手段】
【０００６】
本考案に係るハンズフリー携帯用デジタルビデオカメラ装置は、独立した小型のデジタル撮像装置と、該デジタル撮像装置に無線で接続された、独立した中央処理装置とを有する。前記デジタル撮像装置は、写真を撮影し、撮影した写真の画像データを前記中央処理装置に送信する。前記ハンズフリー携帯用デジタルビデオカメラ装置が２つの独立した装置から成るため、各装置を使用者が写真又は映画を撮影するために直接身に着けられるように小型化することができる。これにより、使用者は手を使わずに前記ハンズフリー携帯用デジタルビデオカメラ装置を使用することができる。
【０００７】
本考案の他の目的、利点及び新規な特徴は、添付の図面に関しての以下の詳細な説明からより明らかになる。
【考案を実施するための最良の形態】
【０００８】
図１に示すように、ハンズフリー携帯用デジタルビデオカメラ装置は、独立した小型のデジタル撮像装置１０と、独立した中央処理装置２０とを有する。デジタル撮像装置１０は中央処理装置２０に無線で接続されている。デジタル撮像装置１０は比較的小さいため、使用者は、写真又は映画を撮影するためにデジタル撮像装置１０を身に着けることができる。
【０００９】
図２に示すように、デジタル撮像装置１０は、第１マイクロプロセッサー１１と、撮像素子１２と、第１無線通信モジュール１３と、駆動装置１４と、電源装置１５と、音声受信機１６とを有する。
【００１０】
撮像素子１２は第１マイクロプロセッサー１１に電子的に接続されている。撮像素子１２は、写真又は映画を撮影し、撮影した写真又は映画の画像データを第１マイクロプロセッサー１１に出力する。第１マイクロプロセッサー１１は駆動装置１４を介して撮像素子１２に接続されている。撮像素子１２はＣＣＤモジュール又はＣＭＯＳモジュールとすることができる。
【００１１】
音声受信機１６は第１マイクロプロセッサー１１に接続されている。音声受信機１６は、音声信号を受け取り、受け取った音声信号を第１マイクロプロセッサー１１に出力する。
【００１２】
第１無線通信モジュール１３は、前記画像データ及び前記音声信号を中央処理装置２０へ無線送信するために第１マイクロプロセッサー１１に接続されている。第１無線通信モジュール１３はブルートゥースモジュール又はＲＦの送受信機である。
【００１３】
電源装置１５は、第１マイクロプロセッサー１１と、撮像素子１２と、第１無線通信モジュール１３と、駆動装置１４と、音声受信機１６とに電力を供給する。
【００１４】
図３に示すように、中央処理装置２０は、第２マイクロプロセッサー２１と、第２無線通信モジュール２２と、ディスプレー２３と、スピーカー２４と、入力装置２５と、記憶装置２６と、コネクター２７と、電源装置２８とを有する。
【００１５】
第２無線通信モジュール２２は、第１無線通信モジュール１３との無線接続を果たすように第２マイクロプロセッサー２１に電子的に接続されている。第２マイクロプロセッサー２１はデジタル撮像装置１０からの前記画像データ及び前記音声信号を受け取る。第２無線通信モジュール２２はブルートゥースモジュール又はＲＦの送受信機である。
【００１６】
ディスプレー２３、スピーカー２４、入力装置２５、記憶装置２６及びコネクター２７のそれぞれは、第２マイクロプロセッサー２１に電子的に接続されている。記憶装置２６は、デジタル撮像装置１０からの前記画像データ及び前記音声信号を記憶する。記憶装置２６は、メモリー、ハードディスク、メモリーカード、ディスク等とすることができる。コネクター２７は、ＵＳＢ、１３９４等とすることができ、外部の電子装置に接続される。
【００１７】
電源装置２８は、第２マイクロプロセッサー２１と、第２無線通信モジュール２２と、ディスプレー２３と、記憶装置２６とに電力を供給する。
【００１８】
図２、３に示すように、撮像素子１２が写真又は映画の画像を取り込み、また音声受信機１６が音声信号を受け取ると、第１マイクロプロセッサー１１は、撮像素子１２から前記写真の画像データを受け取り、また音声受信機１６から前記音声信号を受け取る。第１マイクロプロセッサー１１は、前記写真の画像データ及び前記音声信号を処理し、処理した画像データ及び音声信号を第１無線通信モジュール１３に出力する。第１無線通信モジュール１３は、前記画像データ及び前記音声信号を特定の無線通信プロトコルに合うように変調し、変調した画像データ及び音声信号を中央処理装置２０へ送信する。
【００１９】
中央処理装置２０は、デジタル撮像装置１０からの前記画像データ及び前記音声信号を第２無線通信モジュール２２を介して受け取る。第２無線通信モジュール２２は、前記画像データ及び前記音声信号を復調し、復調した画像データ及び音声信号を第２マイクロプロセッサー２１に出力する。第２マイクロプロセッサー２１は、前記画像データ及び前記音声信号を表示しまた再生するようにディスプレー２３及びスピーカー２４を制御する。前記画像データ及び前記音声信号は記憶装置２６に記憶される。デジタル撮像装置１０と該デジタル撮像装置に無線で接続された中央処理装置２０とは、全体としてデジタルビデオカメラの機能を有する。前記ハンズフリー携帯用デジタルビデオカメラ装置は２つの独立した装置を有し、各装置は比較的小さな製品とすることができる。このため、使用者は、写真又は映画を撮影するために両装置を手に持つことなく容易に身に着けることができる。図１に示した例では、デジタル撮像装置１０は使用者の耳に着けられている。デジタル撮像装置１０は使用者の肩に載せてもよい。中央処理装置２０は転送機能を備える。すなわち、中央処理装置２０のコネクター２７は、パーソナルコンピューター、ノートブックコンピューター、携帯情報端末（ＰＤＡ）、携帯電話等の外部の電子装置に接続され、記憶装置２６に記憶された前記画像データ及び前記音声信号を前記電子装置へ送信する。前記電子装置がディスプレーユニットを有する場合、中央処理装置２０は、記憶装置２６に記憶された前記画像データを表示するように前記ディスプレーユニットを制御する。
【図面の簡単な説明】
【００２０】
【図１】使用者の身体に着けられた本考案に係るデジタル撮像装置及び中央処理装置の概略図。
【図２】本考案に係るデジタル撮像装置の構成図。
【図３】本考案に係る中央処理装置の構成図。
【符号の説明】
【００２１】
１０    デジタル撮像装置
１１    第１マイクロプロセッサー
１２    撮像素子
１３    第１無線通信モジュール
１４    駆動装置
１５    デジタル撮像装置の電源装置
１６    音声受信機
２０    中央処理装置
２１    第２マイクロプロセッサー
２２    第２無線通信モジュール
２３    ディスプレー
２４    スピーカー
２５    入力装置
２６    記憶装置
２７    コネクター
２８    中央処理装置の電源装置
【図１】
0003124835.tif 000003
【図２】
0003124835.tif 000004
【図３】
0003124835.tif 000005